(57)【要約】【課題】  本発明は保存バッグに関する。【解決手段】  保存バッグは、直接的に接続された第一側壁及び第二側壁、及び側壁の底部の複数のシフト領域を含む。バッグは、シフト領域の周囲で動かされることができ、そのため、バッグは、第一側壁及び第二側壁が互いに隣接して配置されたフラット構成と、第一側壁及び第二側壁が互いに離されたスタンドアップ構成との間をシフト可能である。スタンドアップ構成において、バッグはシフト領域の周囲でシフトされ、バッグのために実質的にフラットな基部が形成される。その結果、バッグ底において側壁の間に設けられるプリーツなしでスタンドアップ構成が得られる。【選択図】図１Ａ
2020146562.tif 000002
【特許請求の範囲】
【請求項１】
（Ａ）上端及び底端を有し、保存バッグがシフト可能な複数のシフト領域を含む第１側壁であり、複数の前記シフト領域の少なくとも一つは、第１側壁に形成された（ｉ）切り込み線、（ｉｉ）窪み、及び（ｉｉｉ）ひだのうち一つを有し、複数の前記シフト領域の当該少なくとも一つは、第１側壁の前記底端の近傍から開始して第１側壁に沿って距離を延ばし、第１側壁の複数の前記シフト領域の当該少なくとも一つは、第１側壁の複数の前記シフト領域の当該少なくとも一つのうち他の一つを横切って延びて交差し、保存バッグのシフトを容易にする、第１側壁と、
（Ｂ）前記第１側壁と接続され、内部への開口部を伴う保存バッグの前記内部を形成し、上端及び底端を有し、保存バッグがシフト可能な複数のシフト領域を含む第２側壁であり、複数の前記シフト領域の少なくとも一つは、第２側壁に形成された（ｉ）切り込み線、（ｉｉ）窪み、及び（ｉｉｉ）ひだのうち一つを有し、複数の前記シフト領域の当該少なくとも一つは、第２側壁の前記底端の近傍から開始して第２側壁に沿って距離を延ばし、第２側壁の複数の前記シフト領域の当該少なくとも一つは、第２側壁の複数の前記シフト領域の当該少なくとも一つのうち他の一つを横切って延びて交差し、保存バッグのシフトを容易にする、第２側壁とを備え、
保存バッグは、（ｉ）前記第１及び第２側壁が互いに隣接して配置されるフラット構成と、（ｉｉ）前記第１及び第２側壁が互いに離れるスタンドアップ構成との間でシフトし、これにより、前記スタンドアップ構成では実質的にフラットな基部を有する、保存バッグ。
【請求項２】
前記第１側壁の複数の前記シフト領域は、少なくとも三つのシフト領域を含み、前記シフト領域のうち一つが前記シフト領域のうち他の二つを横切って延びて交差している請求項１に記載の保存バッグ。
【請求項３】
前記第２側壁の複数の前記シフト領域は、少なくとも三つのシフト領域を含み、前記シフト領域のうち一つが前記シフト領域のうち他の二つを横切って延びて交差している請求項１に記載の保存バッグ。
【請求項４】
前記第１側壁の複数の前記シフト領域は、少なくとも四つのシフト領域を含み、前記シフト領域のうち一つが前記シフト領域のうち他の三つを横切って延びて交差し、
前記第２側壁の複数の前記シフト領域は、少なくとも四つのシフト領域を含み、前記シフト領域のうち一つが前記シフト領域のうち他の三つを横切って延びて交差している請求項１に記載の保存バッグ。
【請求項５】
前記第１側壁の複数の前記シフト領域は、少なくとも四つのシフト領域を含み、前記シフト領域のうち二つが前記シフト領域のうち他の二つを横切って延びて交差し、
前記第２側壁の複数の前記シフト領域は、少なくとも四つのシフト領域を含み、前記シフト領域のうち二つが前記シフト領域のうち他の二つを横切って延びて交差している請求項１に記載の保存バッグ。
【請求項６】
（ａ）保存バッグの前記第１側壁は、高さと厚さとを有し、前記第１側壁の複数の前記シフト領域は、前記第１側壁の部分での（ｉ）前記高さの変化と（ｉｉ）前記厚さの変化とのうちの一つであり、
（ｂ）保存バッグの前記第２側壁は、高さと厚さとを有し、前記第２側壁の複数の前記シフト領域は、前記第２側壁の部分での（ｉ）前記高さの変化と（ｉｉ）前記厚さの変化とのうちの一つである請求項１に記載の保存バッグ。
【請求項７】
さらに、
前記第１側壁の第１辺から前記第１側壁の第２辺へ延びている第１クロージャ構造と、
前記第２側壁の第１辺から前記第２側壁の第２辺へ延びている第２クロージャ構造であり、前記第１クロージャ構造と組み合うように構成され、これにより保存バッグの前記開口部を封止する第２クロージャ構造と、
前記第１側壁と保存バッグの同じ側に形成されている第１リップであり、（ｉ）前記第１クロージャ構造から前記第１側壁の前記上端へ延び、（ｉｉ）保存バッグの前記開口部に隣接して設けられている第１リップと、
前記第２側壁と保存バッグの同じ側に形成されている第２リップであり、（ｉ）前記第２クロージャ構造から前記第２側壁の前記上端へ延び、（ｉｉ）保存バッグの前記開口部に隣接して設けられている第２リップとを備えている請求項１に記載の保存バッグ。
【請求項８】
前記第１及び第２側壁のそれぞれは厚さを有し、前記第１及び第２リップのそれぞれは、前記第１及び第２側壁のそれぞれの前記厚さよりも大きい厚さを有する請求項７に記載の保存バッグ。
【請求項９】
（ａ）前記第１側壁は一つの材料から形成され、前記第１リップは、前記第１側壁を形成するのに使用される前記材料と異なる材料から、少なくとも部分的に形成され、（ｂ）前記第２側壁は一つの材料から形成され、前記第２リップは、前記第２側壁を形成するのに使用される前記材料と異なる材料から、少なくとも部分的に形成されている請求項７に記載の保存バッグ。
【発明の詳細な説明】
【技術分野】
【０００１】
［関連出願の相互参照］
本出願は、２０１４年３月１１日に出願された同時係属の米国特許出願第１４／２０４，７０５号、及び２０１４年１１月７日に出願された同時係属の米国特許出願第１４／５３５，６６７号からの優先権を主張する。それらの特許出願は、それらの全体について、参照により本明細書に取り込まれる。
【０００２】
本発明は保存バッグに関する。より具体的には、本発明は、フラット構成とスタンドアップ構成との間をシフトされることができ、バッグが容易に満たされることができる、プラスチック製保存バッグに関する。
【背景技術】
【０００３】
柔軟なプラスチック材料から作られた保存バッグ（Storage  bags）は、よく知られている。そのようなプラスチック製保存バッグは、様々なサイズで提供され、食品、家庭用品、衣類、工具等を含む様々な品物を収納するために使用されることができる。これらの保存バッグは、バッグの内部を解放可能に封止するためのジッパーのようなクロージャ機構をしばしば含む。クロージャ機構を備えた様々な種類のプラスチック製保存バッグが、ＺＩＰＬＯＣ（登録商標）の商標のもとで、本出願の譲受人によって販売されている。
【０００４】
バッグが垂直に立ち使用者がバッグを保持する必要がない開位置に、使用者がバッグを置くことができるように、プラスチック製保存バッグを構成することが望ましい。すなわち、使用者がバッグを把持することなしに、そのクロージャ機構が封止されず、垂直に立つことがプラスチック製保存バッグにとって望ましい。そのような垂直で開いた位置において、使用者の手は自由であり、品物でバッグを満たすことができる。またある時には、しかしながら、プラスチック製保存バッグは可能な限りフラットに横になることが望ましい。例えば、バッグが使用されていないときに、フラットなバッグはよりコンパクトに保管され得る。
【０００５】
使用者がバッグを保持することなく垂直に立つことができるプラスチック製保存バッグを提供するために、プリーツ又はガセットがバッグの底に時々追加される。“プリーツ（pleat）”又は“ガセット（gusset）”によって、我々は、バッグの異なる部分の間に設けられた追加的な材料、例えば、バッグを形成する材料をそれ自体の上に折り返すことによって形成される折り目を意味する。バッグにおけるそのようなプリーツ／ガセット配置の一つの例は、米国特許第３，７３８，５６５号に見られることができる。プリーツに加えて、保存バッグは、垂直位置にそれ自体をより確かに支持するために、その側面及び底全体を通じてより厚く作られてもよい。しかしながら、プリーツ及びより厚いバッグの両方は、バッグを形成するための追加的な材料の使用を要求し、それによりバッグの製造に関連する費用を増大させる。そのうえに、プリーツ及び追加的な材料は、例えば使用されていないとき及び保管されているときに、フラットにされるためのバッグの能力を低下させる。
【先行技術文献】
【特許文献】
【０００６】
【特許文献１】米国特許第３，７３８，５６５号明細書
【発明の概要】
【課題を解決するための手段】
【０００７】
一つの態様において、本発明は、保存バッグであって、第一側壁であり、第一側壁の角（corner）付近から延びる少なくとも一つのシフト領域（shift  region）を含む、第一側壁（sidewall）、及びバッグの３辺（sides）に沿って第一側壁に直接的に接続され、開口部を備えた当該バッグの内部を形成する第二側壁、を含む保存バッグに向けられる。第二側壁は、第二側壁の角付近から延びる少なくとも一つのシフト領域を含む。バッグは、第一側壁の少なくとも一つのシフト領域の周囲でシフト可能（shiftable  about）であり、第二側壁の少なくとも一つのシフト領域の周囲でシフト可能であり、バッグは、（ｉ）第一側壁及び第二側壁が互いに隣接して配置されたフラット構成と、（ｉｉ）第一側壁及び第二側壁が互いに離されたスタンドアップ構成との間をシフトされることができる。スタンドアップ構成において、バッグのために実質的にフラットな基部が形成される。
【０００８】
他の態様において、本発明は、保存バッグであって、第一側壁であり、（ｉ）第一側壁の第一角から延びる第一シフト領域、（ｉｉ）第一側壁の第一角から延びる第二シフト領域、（ｉｉｉ）第一側壁の第二角から延びる第三シフト領域、及び（ｉｖ）第一側壁の第二角から延びる第四シフト領域、を含む、第一側壁、並びに開口部を備えたバッグの内部を形成するように第一側壁に接続された第二側壁、を含む保存バッグに向けられる。第二側壁は、（ｉ）第二側壁の第一角付近から延びる第一シフト領域、（ｉｉ）第二側壁の第一角付近から延びる第二シフト領域、（ｉｉｉ）第二側壁の第二角付近から延びる第三シフト領域、及び（ｉｖ）第二側壁の第二角付近から延びる第四シフト領域、を含む。バッグは、（ｉ）第一側壁及び第二側壁が互いに隣接して配置されたフラット構成と、（ｉｉ）第一側壁及び第二側壁が互いに離されたスタンドアップ構成との間をシフトされることができる。スタンドアップ構成において、バッグは、第一側壁の第一シフト領域、第二シフト領域、第三シフト領域及び第四シフト領域の周囲で、並びに、第二側壁の第一シフト領域、第二シフト領域、第三シフト領域及び第四シフト領域の周囲でシフトされ、バッグのために実質的にフラットな基部が形成される。
【０００９】
他の態様において、本発明は、保存バッグであって、第一側壁であり、（ｉ）第一側壁の第一角付近から延びるシフト領域、及び（ｉｉ）第一側壁の第二角付近から延びるシフト領域、を含む、第一側壁、並びにバッグの３辺に沿って第一側壁に直接的に接続され、開口部を備えたバッグの内部を形成する第二側壁、を含む保存バッグに向けられる。第二側壁は、（ｉ）第二側壁の第一角付近から延びるシフト領域、及び（ｉｉ）第二側壁の第二角付近から延びるシフト領域、を含む。バッグは、第一側壁のシフト領域の周囲でシフトされ、第二側壁のシフト領域の周囲でシフトされ、バッグは、（ｉ）第一側壁及び第二側壁が互いに隣接して配置されたフラット構成と、（ｉｉ）第一側壁及び第二側壁が互いに離されたスタンドアップ構成との間をシフトされることができる。スタンドアップ構成において、バッグのために実質的にフラットな基部が形成される。
【００１０】
更に他の態様において、本発明は、保存バッグであって、第一側壁、及び開口部を備えたバッグの内部を形成するように第一側壁に接続された第二側壁、を含む保存バッグに向けられる。第一側壁及び第二側壁は、（ｉ）バッグの第一角付近から延びる第一シフト領域、（ｉｉ）バッグの第一角から延びる第二シフト領域、（ｉｉｉ）バッグの第二角付近から延びる第三シフト領域、及び（ｉｖ）バッグの第二角から延びる第四シフト領域、をそれぞれ含む。αが、第一側壁及び第二側壁の第一シフト領域及び第三シフト領域と、バッグの隣接する端（edges）との間の角度であるとき、且つ、βが、第一側壁及び第二側壁の第二シフト領域及び第四シフト領域と、バッグの底端（bottom  edge）との間の角度であるとき、角度α及び角度βは、（数１）と概して規定される。
【００１１】
【数１】
2020146562.tif 000003
更なる態様において、本発明は、保存バッグであって、第一側壁であり、第一側壁の角付近から延びる複数のシフト領域を含み、複数のシフト領域の少なくとも一つは、複数のシフト領域の他のものと交差する、第一側壁、及びバッグの３辺に沿って第一側壁に直接的に接続され、開口部を備えたバッグの内部を形成する第二側壁であり、第二側壁は、第二側壁の角付近から延びる複数のシフト領域を含み、複数のシフト領域の少なくとも一つは、複数のシフト領域の他のものと交差する、第二側壁、を含む保存バッグに向けられる。バッグは、第一側壁の複数のシフト領域の周囲でシフト可能であり、第二側壁の複数のシフト領域の周囲でシフト可能であり、バッグは、（ｉ）第一側壁及び第二側壁が互いに隣接して配置されたフラット構成と、（ｉｉ）第一側壁及び第二側壁が互いに離されたスタンドアップ構成との間をシフトされることができる。スタンドアップ構成において、バッグのために実質的にフラットな基部が形成される。
【００１２】
更に他の態様において、本発明は、保存バッグであって、第一側壁であり、第一側壁の第一辺（first  side）付近から第一側壁の第二辺付近へ延びるシフト領域を含み、シフト領域はビーズ形状を有する、第一側壁、及びバッグの３辺に沿って第一側壁に直接的に接続され、開口部を備えたバッグの内部を形成する第二側壁であり、第二側壁は、第二側壁の第一辺付近から第二側壁の第二辺付近へ延びるシフト領域を含み、シフト領域はビーズ形状を有する、第二側壁、を含む保存バッグに向けられる。バッグは、第一側壁及び第二側壁のシフト領域の周囲でシフト可能であり、バッグは、（ｉ）第一側壁及び第二側壁が互いに隣接して配置されたフラット構成と、（ｉｉ）第一側壁及び第二側壁が互いに離されたスタンドアップ構成との間をシフトされることができる。スタンドアップ構成において、バッグのために実質的にフラットな基部が形成される。
【００１３】
更に他の態様において、本発明は、保存バッグであって、第一側壁、第一側壁の第一辺から第一側壁の第二辺へ延びる第一クロージャ構造、バッグの３辺に沿って第一側壁に直接的に接続され、開口部を備えたバッグの内部を形成する、第二側壁、及び第二側壁の第一辺から第二側壁の第二辺へ延びる第二クロージャ構造、を含む保存バッグを提供する。第二クロージャ構造は第一クロージャ構造と組み合うことによりバッグの開口部を封止するように構成されている。保存バッグは、バッグの第一側壁と同じ側に形成された第一リップであり、リップは、第一クロージャ構造の上に延び、開口部に隣接して設けられている、第一リップ、及びバッグの第二側壁と同じ側に形成された第二リップであり、リップは、第一クロージャ構造の上に延び、開口部に隣接して設けられている、第二リップ、を更に含む。第一リップ及び第二リップは、第一側壁及び第二側壁よりも硬い。バッグは、（ｉ）第一側壁及び第二側壁が互いに隣接して配置されたフラット構成と、（ｉｉ）第一側壁及び第二側壁が互いに離されたスタンドアップ構成との間をシフト可能である。スタンドアップ構成において、バッグのために実質的にフラットな基部が形成される。
【００１４】
更に他の態様において、本発明は、保存バッグであって、複数のシフト領域を含む第一側壁であり、複数のシフト領域の少なくとも一つは第一側壁の下部に設けられ、複数のシフト領域の少なくとも一つは第一側壁の上部に設けられている、第一側壁、及びバッグの３辺に沿って第一側壁に直接的に接続され、開口部を備えたバッグの内部を形成する第二側壁であり、第二側壁は複数のシフト領域を含み、複数のシフト領域の少なくとも一つは第二側壁の下部に設けられ、複数のシフト領域の少なくとも一つは第二側壁の上部に設けられている、第二側壁、を含む保存バッグに向けられる。バッグは、第一側壁の複数のシフト領域の周囲でシフト可能であり、第二側壁の複数のシフト領域の周囲でシフト可能であり、バッグは、（ｉ）第一側壁及び第二側壁が互いに隣接して配置されたフラット構成と、（ｉｉ）第一側壁及び第二側壁が互いに離され、バッグの開口部が開かれたスタンドアップ構成との間をシフトされることができる。スタンドアップ構成において、バッグのために実質的にフラットな基部が形成される。
【００１５】
これら及び他の利点及び特徴は、図面と共に理解される以下の説明から、より明白になるであろう。
【図面の簡単な説明】
【００１６】
【図１Ａ】図１Ａは、フラット構成にある、本発明によるバッグの側面図である。
【００１７】
【図１Ｂ】図１Ｂは、図１Ａに示されるバッグの区分Ａの詳細図である。
【００１８】
【図２】図２は、フラット構成にある、本発明によるバッグの端面図である。
【００１９】
【図３】図３は、スタンドアップ構成にある、本発明によるバッグの斜視図である。
【００２０】
【図４】図４は、スタンドアップ構成にある、本発明によるバッグの斜視図である。
【００２１】
【図５】図５は、本発明の他の実施形態によるバッグの側面図である。
【００２２】
【図６Ａ】図６Ａ乃至図６Ｇは、本発明の複数の実施形態によるバッグの部分の断面図である。
【図６Ｂ】図６Ａ乃至図６Ｇは、本発明の複数の実施形態によるバッグの部分の断面図である。
【図６Ｃ】図６Ａ乃至図６Ｇは、本発明の複数の実施形態によるバッグの部分の断面図である。
【図６Ｄ】図６Ａ乃至図６Ｇは、本発明の複数の実施形態によるバッグの部分の断面図である。
【図６Ｅ】図６Ａ乃至図６Ｇは、本発明の複数の実施形態によるバッグの部分の断面図である。
【図６Ｆ】図６Ａ乃至図６Ｇは、本発明の複数の実施形態によるバッグの部分の断面図である。
【図６Ｇ】図６Ａ乃至図６Ｇは、本発明の複数の実施形態によるバッグの部分の断面図である。
【００２３】
【図７】図７は、本発明の更に他の実施形態によるバッグの側面図である。
【００２４】
【図８】図８は、本発明の更に他の実施形態によるバッグの側面図である。
【発明を実施するための形態】
【００２５】
本発明は、フラット構成とスタンドアップ構成との間でバッグをシフトさせる機構を含む、プラスチック製保存バッグに関する。スタンドアップ構成において、バッグは使用者によって把持されることなく実質的にフラットな基部上に立ち、そのため、バッグが容易に満たされることができる。
【００２６】
本明細書における記述から明らかになるように、用語“バッグ”及び“保存バッグ（storage  bag）”は、品物を収納するように設計された広範囲の構造を包含する。そのようなバッグ構造はまた、ポーチ、エンベロープ、パケット等と称されてもよい。概して、本明細書において使用される場合、用語“バッグ”及び“保存バッグ”は、そのバッグが如何なる数の品物でも運ぶことができるように、開口部を備えたいくらか柔軟な容器を単に意味する。保存バッグは特別な使用のために合わせられてもよく、例えば、いくつかの実施形態において、バッグは冷蔵庫内で食品を保存するために使用されてもよく、又は他の実施形態において、バッグは冷凍庫内で食品を保存するために使用されてもよい。
【００２７】
図１Ａ、図１Ｂ及び図２乃至図４は、本発明の実施形態による保存バッグ１００の図である。バッグ１００は、側端（side  edges）１０６及び１１０に沿って、及び底端１０８に沿って接続された第一側壁１０２及び第二側壁１０４を含む。開口部１１２はバッグ１００の上端に形成され、その開口部１１２を通じて品物がバッグ１００の内部に納められることができる。特に、バッグ１００は、第一側壁１０２及び第二側壁１０４の間の底部１１８にプリーツ又はガセットを含まない。すなわち、第一側壁１０２及び第二側壁１０４は、第一側壁１０２と第二側壁１０４との間に設けられた如何なる種類の折り畳み（folding）又は伸縮可能な構造もなく、バッグ１００の底端１０８に沿って互いに対して直接的に接続される。第一側壁１０２及び第二側壁１０４はまた、第一側壁１０２及び第二側壁１０４を接続する如何なるプリーツ又はガセットもなしに、側端１０６及び１１０に沿って直接的に接続される。
【００２８】
開口部１１２は、組合いクロージャ構造１１４Ａ、１１４Ｂ、１１６Ａ及び１１６Ｂによって封止されてもよい。プラスチック製保存バッグ用の組合いクロージャ構造は、当技術分社において良く知られており、本願の保存バッグ１００と共に使用され得る様々な形状及び構成の組合い部材の例は、米国特許第５，０７０，５８４号明細書；米国特許第７，７８４，１６０号明細書；米国特許第７，８８６，４１２号明細書；米国特許第７，９４６，７６６号明細書；及び米国特許第８，０６１，８９８号明細書に、並びに米国特許出願公開第２００９／０３２４１４１号明細書に見られる。これらの開示は、参照によりその全体が本明細書に取り込まれる。クロージャ構造１１４Ａ、１１４Ｂ、１１６Ａ及び１１６Ｂの一つの代替として、他の実施形態において、スライダー型クロージャ構造が、第一側壁１０２及び第二側壁１０４の上端に沿ってバッグ１００の開口部１１２を封止するために使用されてもよい。スライダー型クロージャ構造の例は、米国特許第５，６６４，２９９号明細書；米国特許第５，８３６，０５６号明細書；及び米国特許第７，０５２，１８１号明細書に見られる。これらの開示は、参照によりその全体が本明細書に取り込まれる。
【００２９】
バッグ１００を形成するために使用され得る例示的なプラスチック材料は、例えば、他のポリオレフィンプラスとマーの中で、ポリプロピレン（ＰＰ）、ポリエチレン（ＰＥ）、メタロセン‐ポリエチレン（ｍＰＥ）、低密度ポリエチレン（ＬＤＰＥ）、鎖状低密度ポリエチレン（ＬＬＤＰＥ）、超低密度ポリエチレン（ＵＬＤＰＥ）、二軸配向ポリエチレンテレフタレート（ＢＰＥＴ）、高密度ポリエチレン（ＨＤＰＥ）、ポリエチレンテレフタレート（ＰＥＴ）及びそれらの組み合わせ及び混合を含む。使用され得る更に他の材料は、スチレンブロック共重合体、ポリオレフィン混合、エラストマーアロイ、熱可塑性ポリウレタン、熱可塑性コポリエステル、熱可塑性ポリアミド、ポリ塩化ビニル（ＰＶＣ）の重合体又は共重合体、ポリ塩化ビニリデン（ＰＶＤＣ）、サラン重合体、エチレン／酢酸ビニル共重合体、酢酸セルロース、ポリエチレンテレフタレート（ＰＥＴ）、アイオノマー、ポリスチレン、ポリカーボネート、スチレンアクリルアクリロニトリル、芳香族ポリエステル、鎖状ポリエステル及び熱可塑性ポリビニルアルコールを含む。当業者は、多種多様な他の材料も保存バッグ１００を形成するために使用され得ることを認識するであろう。当業者はまた、上述のプラスチック材料を使用することによって、保存バッグ１００が一定の範囲の色及び透明度で作られ得ることを認識するであろう。
【００３０】
プラスチック製保存バッグ１００を形成するために、様々な製造技術が使用されてもよい。一つの具体的な例として、バッグ１００の側壁１０２及び１０４は、例えば、熱可塑性溶接技術を使用してバッグ構造を形成するために第一側壁１０２の一部分が第二側壁１０４の一部分と一緒に接合された状態で、一つのシートとして一緒に押出し成形されてもよい。他の例として、第一側壁１０２及び第二側壁１０４は別個の構造として形成されてもよく、それらは３つの端１０６、１０８及び１１０に沿って一緒に接合される。これらの線に沿って、本明細書において側壁１０２及び１０４が一緒に“接続されている”として言及する場合、側壁は一体的に形成されてもよく、又は代替的に、側壁１０２及び１０４は接続部において一緒に接合された別個の構造であってもよい。バッグ１００の具体的、追加的な特徴の構成は、以下で記述されるであろう。
【００３１】
本発明による保存バッグ１００は、図１Ａ、図１Ｂ及び図２に示されるようなフラット構成と、図３及び図４に示されるようなスタンドアップ構成との間をシフトさせられることができる。バッグ１００は、その底端１２６に隣接してプリーツ又はガセットを含まなくとも、スタンドアップ位置を維持する。代わりに、バッグ１００は、側壁１０２及び１０４の底部１１８の独特な構成を通じて垂直に立つように作られる。この構成は、これから記述されるであろう。
【００３２】
図１Ａ及び図３に示されるように、複数のシフト領域１２２Ａ、１２２Ｂ、１２３Ａ、１２３Ｂ、１２４Ａ、１２４Ｂ、１２４Ｃ、１２４Ｄ、１２６及び１２８が、第一側壁１０２の底部１１８に形成される。図１Ｂは、追加的なシフト領域１２５Ａ、１２５Ｂ及び１２５Ｃを含めて、図１Ａ内の領域Ａの詳細を示す。シフト領域は、以下で詳細に記述されるように、フラット構成とスタンドアップ構成との間でバッグが容易にシフトされることを可能にするように構成される。いくつかの実施形態において、シフト領域１２２Ａ、１２２Ｂ、１２３Ａ、１２３Ｂ、１２４Ａ、１２４Ｂ、１２４Ｃ、１２４Ｄ、１２５Ａ、１２５Ｂ、１２５Ｃ、１２６及び１２８は、バッグ１００が領域の周囲で容易にシフトされ得るような深さに作られた、バッグ１００の側壁１０２及び１０４に形成されたわずかな窪み（indentations）、切り込み（scores）又はひだ（crimps）である。しかしながら、シフト領域１２２Ａ、１２２Ｂ、１２３Ａ、１２３Ｂ、１２４Ａ、１２４Ｂ、１２４Ｃ、１２４Ｄ、１２５Ａ、１２５Ｂ、１２５Ｃ、１２６及び１２８は、バッグ１００の一体性を弱める深さに作られない。当業者は、シフト領域１２２Ａ、１２２Ｂ、１２３Ａ、１２３Ｂ、１２４Ａ、１２４Ｂ、１２４Ｃ、１２４Ｄ、１２５Ａ、１２５Ｂ、１２５Ｃ、１２６及び１２８を形成するために、機械的構造を用いて、又は他の例として、超音波変形を使用することによってバッグ１００を変形させることのような、様々な技術が使用され得ることを認識するであろう。更に他の例として、シフト領域１２２Ａ、１２２Ｂ、１２３Ａ、１２３Ｂ、１２４Ａ、１２４Ｂ、１２４Ｃ、１２４Ｄ、１２５Ａ、１２５Ｂ、１２５Ｃ、１２６及び１２８は、シフト領域の形状に部分が永久的に変形するように側壁１０２及び１０４の部分に圧力を掛けること（squeezing）により、保存バッグ１００の側壁１０２及び１０４を変形させることによって形成されてもよい。
【００３３】
シフト領域１２２Ａ、１２２Ｂ、１２３Ａ、１２３Ｂ、１２４Ａ、１２４Ｂ、１２４Ｃ、１２４Ｄ、１２５Ａ、１２５Ｂ、１２５Ｃ、１２６及び１２８を用いて、バッグ１００は、図１Ａ、図１Ｂ及び図２に示されるようなフラット構成と、図３及び図４に示されるようなスタンドアップ構成との間をシフト可能である。フラット構成において、第一側壁１０２及び第二側壁１０４は互いに隣接して配置される。スタンドアップ構成において、第一側壁１０２及び第二側壁１０４は互いに離される。第一側壁１０２及び第二側壁１０４を離すために、バッグの底部１１８は、シフト領域１２２Ａ、１２２Ｂ、１２３Ａ、１２３Ｂ、１２４Ａ、１２４Ｂ、１２４Ｃ、１２４Ｄ、１２５Ａ、１２５Ｂ、１２５Ｃ、１２６及び１２８の周囲で動かされ、そのため、底部１１８は垂直なバッグ１００のために実質的にフラットな基部を形成する。このようにシフトされることによって、角１２０及び１２１に隣接する底部１１８の端は、三角形の形状の構成で外側に延びる。それ故に、バッグ１００の底部１１８は、シフト領域１２４Ａ、１２４Ｂ、１２４Ｃ、１２４Ｄ、１２６及び１２８によって輪郭を既定される。フラット構成からスタンドアップ構成にシフトするときに、バッグ１００はまた、第一側壁１０２の部分１３０Ａ及び１３０Ｂが第一側壁１０２の他の部分１２８Ａ及び１２８Ｂの上にシフトされるように、シフト領域１２２Ａ及び１２２Ｂの周囲で動かされる。スタンドアップ構成にシフトすることは、部分１３０Ａ及び１３０Ｂでバッグ１００を把持することによって促進される。この部分１３０Ａ及び１３０Ｂは、事実上、スタンドアップ構成へのバッグ１００のシフトを自然にもたらすヒンジとしての機能を果たす。
【００３４】
図１Ａ乃至図４に示される実施形態において、シフト領域は、バッグ１００の両方の側壁１０２及び１０４の底の角の両方に設けられる。具体的には、図３及び図４に見られるように、第一側壁１０２に設けられたシフト領域１２４Ａ、１２４Ｂ及び１２６に対応して、第二側壁１０４に複数のシフト領域１２４Ｃ、１２４Ｄ及び１２８が設けられる。“対応して（corresponding）”によって、複数のシフト領域が第一側壁１０２及び第二側壁１０４上の同じ相対位置にあることを我々が意図することに留意されたい。しかしながら、他の実施形態において、より少ないシフト領域が設けられてもよい。例えば、シフト領域は、側壁１０２及び１０４の一方の一つの角に設けられるのみであってもよい。更に他の実施形態において、シフト領域は、側壁１０２及び１０４の一方の二つの底の角に設けられて、側壁１０２及び１０４の他方に設けられなくてもよい。更に他の実施形態において、バッグ１００の一方側のシフト領域がバッグ１００の反対側のシフト領域に対応しないように、シフト領域が側壁１０２及び１０４の一方の底の角に設けられてもよく、他のシフト領域が側壁１０２及び１０４の反対側の底の角に設けられてもよい。
【００３５】
同様に、バッグ１００は、図示されたシフト領域１２２Ａ、１２２Ｂ、１２３Ａ、１２３Ｂ、１２４Ａ、１２４Ｂ、１２４Ｃ、１２４Ｄ、１２５Ａ、１２５Ｂ、１２５Ｃ、１２６及び１２８の全てではなく、いくつかを含むのみであってもよい。例えば、一つの実施形態において、バッグ１００は、シフト領域１２２Ａ、１２２Ｂ、１２４Ａ及び１２４Ｂを含み、他の図示されたシフト領域１２３Ａ、１２３Ｂ、１２４Ｃ、１２４Ｄ、１２５Ａ、１２５Ｂ、１２５Ｃ、１２６及び１２８のいずれも含まなくてもよい。そのような実施形態において、シフト領域１２２Ａ、１２２Ｂ、１２４Ａ及び１２４Ｂは、フラット構成からスタンドアップ構成へのバッグ１００のシフトを促進する。また、図示された実施形態において、シフト領域１２２Ａ、１２２Ｂ、１２３Ａ、１２３Ｂ、１２４Ａ、１２４Ｂ、１２４Ｃ、１２４Ｄ、１２５Ａ、１２５Ｂ、１２５Ｃ、１２６及び１２８は、連続した線に延びるように示される。しかしながら、他の実施形態において、シフト領域１２２Ａ、１２２Ｂ、１２３Ａ、１２３Ｂ、１２４Ａ、１２４Ｂ、１２４Ｃ、１２４Ｄ、１２５Ａ、１２５Ｂ、１２５Ｃ、１２６及び１２８は、不連続であってもよい。例えば、シフト領域のいずれかが、複数の区別できる線区分、点等として形成されてもよい。当業者によって明確に理解されるであろうように、本発明によるバッグに設けられるシフト領域の数及び連続性は、バッグのシフトをよりし易くする若しくはしにくくするために調整されてもよく、又は、シフト領域の数及び連続性は、美学及びバッグの製造の費用のような他の要素に基づいて調整されてもよい。いくつかの実施において、これらの線に沿って、バッグは、シフト領域１２２Ａ、１２２Ｂ、１２３Ａ、１２３Ｂ、１２４Ａ、１２４Ｂ、１２４Ｃ、１２４Ｄ、１２５Ａ、１２５Ｂ、１２５Ｃ、１２６及び１２８のうちの一つが設けられるのみであってもよい。
【００３６】
図１Ａ及び図１Ｂに見られるように、側端１０６、側端１１０及び底端１０８に対して、シフト領域１２２Ａ、１２２Ｂ、１２４Ａ、１２４Ｂ、１２４Ｃ、１２４Ｄ、１２６及び１２８によって形成される二つの角度α及びβが存在する。さらに、基準線１３４Ａ及び１３４Ｂを用いて、区域（areas）１２８Ａ、１２８Ｂ、１３２Ａ及び１３２Ｂが規定される。基準線１３４Ａ及び１３４Ｂは、本発明の理解の目的のために図１Ａ及び図１Ｂに提供されており、実際にはバッグ１００内の構造ではないことに留意されたい。図から明らかなように、角度α及びβの大きさは、区域１２８Ａ、１２８Ｂ、１３２Ａ及び１３２Ｂの相対的な大きさを決定する。概して言えば、我々は、フラット構成からスタンドアップ構成へのシフト動作を促進するために、区域１２８Ａ及び１２８Ｂは、区域１３２Ａ及び１３２Ｂに対しておよそ同等であるべきであることを見出した。さらに、我々は、角度α及びβが以下の方程式（１）（数２）を満たす場合にシフトが大いに促進されることを見出した。
【００３７】
【数２】
2020146562.tif 000004
角度α及びβが概して方程式（１）の関係によって規定される場合に、バッグ１００は、フラット構成からスタンドアップ構成に容易にシフトされることができる。しかしながら、方程式（１）は正確に満たされる必要はなく、むしろ、α及びβの両方は、尚もバッグ１００がフラット構成からスタンドアップ構成に容易に動かされることを可能にしたまま、上記の関係からわずかに変動し得ることに留意されたい。例えば、特定の角度αが与えられると、角度βは、方程式（１）から計算される角度βのための値から約±２度未満だけ変動してもよい。  特定の角度βが与えられると、角度αは、方程式（１）から計算される角度αのための値から約±４度未満だけ変動してもよい。例えば、特定の実施形態において、角度αは約１４度から約１６度であり、角度βは約３７度から約３９度である。しかしながら、この場合も、バッグ１００は如何なる特定の角度α及び角度βにも必ずしも限定されないことが留意されるべきである。
【００３８】
水平シフト領域１２６及び１２８は、バッグ１００の底端１０８より上方の高さＨに延びる。この高さＨは、事実上、バッグ１００がスタンドアップ構成にあるときの、バッグ１００のフラットな基部の幅を決定することになる。すなわち、図４に示されるように、バッグ１００の底の幅は、バッグの中心部分で約２Ｈである。本発明の実施形態において、高さＨは、約１インチ（約２．５ｃｍ）から約３．５インチ（約８．９ｃｍ）であり、より具体的には約１．５インチ（約３．８ｃｍ）から約３インチ（約７．６ｃｍ）であり、更に具体的には約２インチ（約５．１ｃｍ）から約２．５インチ（約６．４ｃｍ）である。それは、バッグの基部の幅がこれらの高さの約２倍、すなわち、約２インチ（約５．１ｃｍ）から約７インチ（約１７．８ｃｍ）であり、より具体的には約３インチ（約７．６ｃｍ）から約６インチ（約１５．２ｃｍ）であり、更に具体的には約４インチ（約１０．２ｃｍ）から約５インチ（約１２．７ｃｍ）であることに続く。一つの具体的な実施形態において、高さＨは約２インチであり、従って、バッグの基部の幅は約４インチである。概して言えば、そのような範囲を用いれば、食品保存用の保存バッグのような標準的な大きさの保存バッグは、垂直に立つように作られることができる。
【００３９】
図１Ａ乃至図４に示されるバッグ１００の構成を用いて、バッグ１００は、如何なる追加的、構造的な特徴もなく、垂直に立つように作られ得る。例えば、当分野において知られる他のバッグと異なり、バッグ１００は、第一側壁１０２と第二側壁１０４の底部の間にプリーツ又はガセットを含む必要がない。加えて、プリーツ又はガセットを要求しないために、バッグ１００の側壁１０２及び１０４は、比較的均一な厚さで作られてもよい。これらの線に沿って、いくつかの実施形態において、側壁１０２及び１０４は、ほんの約１．６ミル（mils）（約０．０４１ｍｍ）から約２．６ミル（約０．０６６ｍｍ）の厚さを有してもよい。当業者が明確に理解するであろうように、約１．６ミルの厚さは、多くの種類のスタントアップ型プラスチック製保存バッグの厚さよりも実質的に薄い。
【００４０】
バッグ１００は、均一にわずかに厚い側壁１０２及び１０４を設けられたときに、スタンドアップ構成のままでいることができるが、他の実施形態において、スタンドアップ構成を更に容易にするために、バッグ１００の特定の部分がわずかに厚く作られる。一つの実施例において、バッグ１００の側壁１０２及び１０４の底部１０８の複数の領域は、バッグ１００の残りよりも厚く作られる。具体的には、底部１０８は、側壁１０２及び１０４の他の部分よりも約２倍厚い。他の実施形態において、底部１０８の複数の領域は、側壁１０２及び１０４の他の部分よりも約１ミル（約０．０２５ｍｍ）厚く作られる。バッグ１００を製造するために押出し成形技術が使用される場合には、底部１０８は、他の部分と比較して底部１０８を形成するために使用される材料の量を調整することにより、例えば、底部１０８が約１ミル厚くなり、一方で側壁１０２及び１０４の他の部分が約０．１ミルの厚さだけ減らされるように押出し成形工程を調整することによって、厚く作られてもよい。
【００４１】
いくつかの実施形態において、第一側壁１０２及び第二側壁１０４の底部１０８は、第一側壁１０２及び第二側壁１０４の他の部分から視覚的に識別可能に作られてもよい。例えば、視覚的に識別可能なテクスチャーが、第一側壁１０２及び第二側壁１０４の水平シフト領域１２６と１２８との間の底部１０８に形成されてもよい。そのようなテクスチャーは、シフトされるべき底部１０８を同定することにおいて使用者を助け得る。さらに、テクスチャーは、バッグ１００がスタンドアップ構成にあるときに基部の摩擦を増大させ、それによりバッグ１００を更に安定化させてもよい。
【００４２】
バッグ１００のスタンドアップ構成を更に容易にするために、底部１０８より上の側壁１０２及び１０４の他の部分がより硬く（stiffer）作られてもよい。そのようなより硬い部分の例は、図１Ａにおいて第一側壁１０２上で１４０、１４２、１４４及び１４６として標識された区域（areas）である。図示されていないが、対応するより硬い区域は、第二側壁１０４上に形成されてもよい。より硬い部分１４０、１４２、１４４及び１４６は側壁１０２及び１０４に構造的な支持を提供し、その支持は、スタンドアップ構成においてバッグを垂直に維持することを助ける。より硬い区域１４０、１４２及び１４６は側壁１０２内で延びるが、より硬い区域１４４は、側壁１０２の端１０６から端１１０へ延びる。側壁１０２の全長に延びること及びバッグ１００の開口部１１２に隣接して配置されることによって、より硬い区域１４４は、対応する第二側壁１０４上のより硬い区域と一緒に、バッグ１００がスタンドアップ構成にありクロージャ構造１１４Ａ、１１４Ｂ、１１６Ａ及び１１６Ｂが封止されていないときに、開口部１１２を開位置に維持することを助ける。同時に、垂直なより硬い区域１４０及び１４２、並びに、対応する第二側壁１０４上のより硬い区域は、スタンドアップ構成にあるバッグの側面を押し出すことを助ける。したがって、バッグ１００は垂直位置に維持されることができ、そのため使用者によって容易に満たされることができる。
【００４３】
より硬い区域１４０、１４２、１４４及び１４６は、第一側壁１０２上の区域１４０、１４２、１４４及び１４６並びに第二側壁１０４上の対応する部分が側壁１０２及び１０４の他の部分よりも厚く作られるような方法で、バッグの側壁１０２及び１０４を押出し成形することによって形成されてもよい。代替的に、より硬い区域１４０、１４２、１４４及び１４６は、側壁１０２及び１０４の上に追加的な材料を適用することによって形成されてもよい。
【００４４】
本発明の更に他の実施形態において、バッグの上部は、開口部１１２を開位置に維持することを助けるために、より硬く作られる。当業者によって明確に理解されるであろうように、リップは、バッグのクロージャ構造より上の区域（すなわち、図１Ａに示されるクロージャ構造１１６Ａ／Ｂとバッグの上端との間の区域）である。いくつかの実施形態において、バッグのリップの一方又は両方は、より硬く作られ、それにより開口部１１２をより容易に開位置に留まらせる。
【００４５】
当業者は、バッグのリップがより硬く作られ得る多くの異なる方法を認識するであろう。例えば、追加的な材料が、上述の区域１４０、１４２、１４４及び１４６を形成するために追加的な材料が加えられる方法に類似したやり方でリップ区域に加えられてもよい。すなわち、リップは、リップがバッグの他の部分よりも厚くなるようにリップ区域に追加的な材料を提供することによって、より硬く作られてもよい。これに関して、リップをより厚く作ることは、例えばバッグが開かれるときに、リップをより把持しやすくするという追加的な利益を有する。一つの具体的な例において、リップは、バッグの他の部分よりも２０％厚く作られ、それによりバッグ開口部がより容易に開位置に留まるようにし、リップをより把持し易くする。
【００４６】
リップをより硬く作るために提供される追加的な材料は、バッグの残りを形成するために使用される材料と同じ材料であってもよい。代替的に、リップを硬くするために異なる材料が使用されてもよい。例えば、バッグはＰＥで作られてもよく、リップを硬くするためにＨＤＰＥがリップ区域に加えられてもよい。他の実施形態において、リップ自体は、異なる、バッグの他の部分よりも硬い材料で少なくとも部分的に形成されてもよい。例えば、バッグが主にＰＥで形成される場合に、リップはＨＤＰＥで別に形成され、より高い密度のＨＤＰＥによってリップをバッグの他の部分よりも硬くしてもよい。もちろん、リップ区域に加えられるリップを形成するために使用される材料、又はリップに加えられる追加的な材料は、バッグを形成するために使用される他の材料と適合する如何なる材料であってもよい。
【００４７】
上で示されたように、バッグのクロージャ構造又は複数のクロージャ構造は、開口部付近に配置される。そのため、リップをより硬く作ることに加えて、又はそれに変えて、クロージャ構造又は複数のクロージャ構造は、バッグの他の部分よりも硬い材料で形成され、それにより、（クロージャ構造が開口部を閉じるように機能していないときに、）バッグをより容易に開位置に留めてもよい。より硬いクロージャ構造を含む一つの実施形態において、クロージャ構造はＨＤＰＥで作られ、バッグの残りはＰＥで作られる。
【００４８】
図５は、本発明の他の実施形態によるバッグ２００の側面図である。バッグ２００は、側壁２０２及び２０４並びにクロージャ構造２２４Ａ、２２４Ｂ、２２６Ａ及び２２６Ｂを含む、上述の実施形態において提供される特徴のいくつかを含む。しかしながら、バッグ２００において、シフト領域２２２Ａ、２２２Ｂ、２２４Ａ及び２２４Ｂは、角２２０及び２２１への経路全部を延びない。代わりに、シフト領域２２２Ａ、２２２Ｂ、２２４Ａ及び２２４Ｂは、角２２０及び２２１に近いが、直接的に隣接しない位置から延びる。これに関して、本発明の実施形態におけるシフト領域は、図１Ａにおいてバッグ１００に示されるようにシフト領域が角に直接的に隣接する位置から延びる、角“付近の（near）”位置から延びてもよく、又は、図５においてバッグ２００に関して示されるようにシフト領域が角に近い位置から延びる、角“付近の”他の位置から延びてもよい。
【００４９】
バッグ５００のシフト領域２２２Ａ、２２２Ｂ、２２４Ａ及び２２４Ｂは、直線状ではなく、代わりに、曲線状の形状を有する。バッグ２００は、上述されたようなバッグ１００が複数の構成の間をシフトする方法と同様なやり方で、曲線状のシフト領域２２２Ａ、２２２Ｂ、２２４Ａ、２２４Ｂ及びシフト領域２２６の周囲でシフトされることによって、フラット構成とスタンドアップ構成との間をシフト可能である。曲線状のシフト領域２２２Ｂ及び２２４Ｂを用いて、角度αは、辺（side）２１０と、シフト領域２２２Ｂの中央部分の点に接する線Ｔ１との間で測定される。また、角度βは、底（bottom）２０８と、シフト領域２２４Ｂの中央部分の点に接する線Ｔ２との間で測定される。図示されていないが、同様の角度α及びβは、シフト領域２２２Ａ、２２４Ａに接する線、側端２０６及び底端２０８との間で測定され得る。角度α及びβは、上述されたように方程式（１）の関係にあってもよい。
【００５０】
上述の実施形態において、本発明によるバッグは、バッグの窪みとして形成されたシフト領域が設けられているものとして記述される。しかしながら、他の実施形態において、バッグがその周囲でフラット構成とスタンドアップ構成の間をシフトされる場所は、例えばわずかな量の追加的な高分子材料をバッグの側面に提供することのような、異なるやり方で形成されてもよい。例えば、少量のポリエチレンが、上述のバッグ上のシフト領域と同じ位置でバッグの側面上に提供されてもよい。当業者は、そのような追加的な材料を適用するために使用され得る様々な技術、例えばシフト領域のパターンに材料を迅速に置くようにオン及びオフするノズルを明確に理解するであろう。他の実施形態において、バッグがその周囲でシフトされる場所は、バッグの側面の様々な厚さ、高さ等の領域として設けられる。これに関して、図６Ａ乃至図６Ｇは、本発明の複数の実施形態によるバッグの部分の断面図であり、それらの断面は異なるシフト領域６００Ａ乃至６００Ｇを含む。シフト領域６００Ａ乃至６００Ｇのいずれも、上述の実施形態におけるシフト領域の位置のような、バッグがその周囲でフラット構成とスタンドアップ構成の間をシフトされる場所に設けられてもよい。したがって、シフト領域６００Ａ乃至６００Ｇは、バッグがスタンドアップ構成にあるときに底を提供し、バッグは、バッグの底において側壁の間に形成されたプリーツ又はガセットを含む必要がない。
【００５１】
図７は、本発明によるバッグにおいて、概して図６Ｂに図示されたようなシフト領域がどのように使用され得るかの、一つの具体的な実施例を示す。バッグ７００は、シフト領域７２７Ａ、７２７Ｂ、７２４Ａ、７２４Ｂ、７２６及び７２８を含む（領域７２８は、示された側壁７０２と反対側の側壁７０４上に設けられている）。本実施形態において、シフト領域７２６及び７２８は、ビーズのような構成を有する。ビーズ状の（beaded）シフト領域７２６及び７２８は、それらの位置において、上で示されたバッグ１００のシフト領域１２６及び１２８に対応することに留意されたい。そのため、シフト領域は、バッグがスタンドアップ構成にシフトされたときにバッグ７００の基部の端を形成する。
【００５２】
ビーズ形状のシフト領域７２６及び７２８は、例えば具体的にはシフト領域７２６及び７２８がビーズ形状で形成されるように、側壁７０２及び７０４を形成する材料を押出し成形することによって、バッグの材料と同じ材料で形成されてもよい。代替的に、ビーズ状のシフト領域７２６及び７２８は、バッグの側壁を形成するために異なる材料を使用し、その異なる材料が側壁７０２及び７０４が形成されると同時にシフト領域７２６及び７２８を形成するために使用されることによって形成されてもよく、または、側壁７０２及び７０４が形成された後にシフト領域７２６及び７２８を形成するために異なる材料を加えることによって形成されてもよい。これに関して、シフト領域７２６及び７２８は、上で我々が議論したプラスチック材料のいずれで形成されてもよい。他の実施例として、ビーズ状のシフト領域７２６及び７２８を形成するために使用される材料は、接着剤、インク又はワックス材料であってもよい。いくつかの場合において、ビーズ状のシフト領域７２６及び７２８を形成するために使用される追加的な材料は、バッグの側壁７０２及び７０４に直接的に付けられず、むしろ一つ又はそれ以上の中間層がビーズ状のシフト領域７２６及び７２８と側壁７０２及び７０４との間に形成される。更に他の実施形態において、ビーズ状の領域７２６及び７２８は、それ自体が一つ又はそれ以上の材料の多層で形成される。
【００５３】
ビーズ状のシフト領域７２６及び７２８は、上述されたように、領域がバッグのシフトを容易にするような如何なる厚さに形成されてもよい。しかしながら、いくつかの実施形態において、ビーズ状のシフト領域７２６及び７２８は、バッグの側壁７０２及び７０４よりも約２倍から約２０倍厚い。更なるより具体的な実施形態において、ビーズ状のシフト領域７２６及び７２８は、バッグの側壁７０２及び７０４よりも約２倍から約１０倍厚い。そして、一つの具体的な実施形態において、ビーズ状のシフト領域７２６及び７２８は、側壁７０２及び７０４の表面から約１５ミル（約０．３８ｍｍ）延びる。
【００５４】
ビーズ状のシフト領域７２６及び７２８は、側壁７０２及び７０４の外表面上に図示されているが、本明細書において記述されるシフト領域の全ての場合として、ビーズ状のシフト領域７２６及び７２８のうちの一つ又は両方が側壁７０２及び７０４の内表面上に（すなわち、バッグの内部に）設けられてもよいことが留意されるべきである。また、図６Ｂに示されるようにビーズ状のシフト領域７２６及び７２８は概して丸い形状を有しているが、ビーズ状のシフト領域７２６及び７２８は、図示されるより大きく又は小さく丸みを帯びていてもよいことも留意されるべきである。実際には、ビーズ状のシフト領域７２６及び７２８は丸みを帯びている必要はなく、むしろ如何なる形状に、例えば正方形、長方形又は三角形に形成されてもよい。
【００５５】
図７において図示された実施形態において、側壁７０２上のビーズ状のシフト領域７２６は、側壁７０４上の対応するビーズ状のシフト領域７２８からわずかにずらされており（offset）、そのため、ビーズ状のシフト領域７２６及び７２８は、バッグ７００がフラット構成にあるときに互いに直接に隣接して配置されない。このずれは必須ではないが、ずれは、シフト領域７２６及び７２８がバッグの辺１０６及び１１０に交わる漏れ口の形成を最小化し得る。もちろん、上で概して記述されたように、いくつかの実施形態において、ビーズ状のシフト領域７２６及び７２８は辺１０６及び１１０まで延びず、むしろバッグの側壁７０２及び７０４の長さの一部分にわたって延びるだけである。さらに、同様に上で概して記述されたように、ビーズ状のシフト領域７２６及び７２８は、連続又は不連続であってもよい。
【００５６】
一つの更なる実施形態が、図８に示される。本実施形態は、バッグ８００の側壁８０２及び８０４の下部及び上部に追加的なシフト領域を含む。底部に関して、７つのシフト領域８２２Ａ、８２４Ａ、８２６Ａ、８２８Ａ、８３０Ａ、８３２Ａ及び８３４Ａのパターンが側壁８０２の底の角の一つの付近に設けられ、同様の７つのシフト領域８２２Ｂ、８２４Ｂ、８２６Ｂ、８２８Ｂ、８３０Ｂ、８３２Ｂ及び８３４Ｂのパターンが側壁８０２の他の角の一つの付近に設けられている。これらのシフト領域８２２Ａ、８２４Ａ、８２６Ａ、８２８Ａ、８３０Ａ、８３２Ａ、８３４Ａ、８２２Ｂ、８２４Ｂ、８２６Ｂ、８２８Ｂ、８３０Ｂ、８３２Ｂ及び８３４Ｂは、上で述べられた如何なる形、例えば、窪み、切り込み、ビーズ等を取ってもよい。特に、これらのシフト領域のパターンは、シフト領域のうちのいくつかが、他のシフト領域の一つ又はそれ以上と交差するようなものである。例えば、シフト領域８２８Ａは、シフト領域８３０Ａ及びシフト領域８３２Ａと交差する。他の例として、シフト領域８２４Ａは、シフト領域８２６Ａ、８２８Ａ及び８３０Ａと交差する。我々は、少なくとも一つのシフト領域が他のシフト領域と交差するそのようなパターンは、シフト機能を促進し、それによりバッグをフラット構成とスタンドアップ構成との間で動かすことを容易にすることを見出した。また、一つより多くのシフト領域と交差する複数のシフト領域を有することは、シフト機能性を更に高める。図８に示されていないが、バッグ８００の反対側の側壁８０４の底の二つの角において、同様のシフト領域のパターンが形成されてもよいことに留意されたい。さらに、そのようなシフト領域の如何なる組み合わせが、バッグの角に形成されてもよい。例えば、シフト領域は、側壁８０２上の一つの角及び側壁８０４上の一つの角に設けられるのみであってもよい。また、示されるパターンは、一つ又はそれ以上のシフト領域が省略され、又は一つ又はそれ以上の追加的なシフト領域が提供されるように変更されてもよい。
【００５７】
バッグ８００の上部に関して、シフト領域８３６Ａ及び８３８Ａは、側壁８０２上でクロージャ構造８１４Ａ／Ｂ及び８１６Ａ／Ｂより下に設けられ、シフト領域８３６Ａ及び８３８Ａはバッグ８００の辺８０６から延びる。同様に、シフト領域８３６Ｂ及び８３８Ｂは、辺８１０から延びて設けられる。追加的なシフト領域８３６Ａ、８３６Ｂ、８３８Ａ及び８３８Ｂは、バッグ８００が開かれるときにバッグ８００の部分をシフト領域８３６Ａ、８３６Ｂ、８３８Ａ及び８３８Ｂに沿って方向を変えることによって、バッグの開口部８１２を開位置に維持することを助ける。これらのシフト領域８３６Ａ、８３６Ｂ、８３８Ａ及び８３８Ｂは、上述のシフト領域の形、例えば、窪み、切り込み、ビーズ等のいずれを取ってもよい。また、シフト領域８３６Ａ、８３６Ｂ、８３８Ａ及び８３８Ｂは、辺８０６及び８０８付近の上部の全体の区域においてどこに設けられてもよい。しかしながら、一つの具体的な実施形態において、シフト領域８３６Ａ及び８３６Ｂは、辺８０６及び８０１に沿って測定されたときに、クロージャ構造８１４Ａ／Ｂの約１インチ（約２．５ｃｍ）下方である。また、シフト領域８３８Ａ及び８３８Ｂは、辺８０６及び８０１に沿って測定されたときに、シフト領域８３６Ａ及び８３６Ｂの約２分の１インチ（約１．３ｃｍ）下方（クロージャ構造８１４Ａ／Ｂの約１と２分の１インチ（約３．８ｃｍ）下方）である。その特定の実施形態において、シフト領域８３６Ａ、８３６Ｂ、８３８Ａ及び８３８Ｂは、辺８０６及び８１０から直角な線内で測定されたときに、側壁８０２に沿って約１インチ延びる。
【００５８】
いくつかの実施形態において、シフト領域８３６Ａ、８３６Ｂ、８３８Ａ及び８３８Ｂに対応するシフト領域が、バッグ８００の第二側壁８０４に設けられる。当業者は、より多くの又はより少ないシフト領域が、側壁８０２及び８０４の上部のいずれかに、８３６Ａ、８３６Ｂ、８３８Ａ及び８３８Ｂと同様のやり方で設けられてもよいことを認識するであろう。
【００５９】
バッグ８００上に設けられるシフト領域のいずれも、本明細書において記述される本バッグの他の実施形態のいずれとも組み合わせられることができる。例えば、シフト領域８３６Ａ、８３６Ｂ、８３８Ａ及び８３８Ｂは、上述のバッグ１００及び２００に設けられてもよい。さらに、本明細書において記述される他の実施形態に由来する特徴もまた、バッグ８００に設けられてもよい。例えば、上述の視覚的に識別可能なテクスチャーは、望ましい場合はバッグ８００の底部に設けられてもよい。より一般的に、当業者によって完全に理解されるであろうように、ある具体的な実施形態に関して本明細書において記述される特徴のいずれも、他の具体的な実施形態の特徴と組み合わせられてもよく又は交換されてもよい。例えば、本発明によるバッグは、（１）バッグ１００と関連して記述されたような、より硬い部分１４０、１４２、１４４及び１４６、（２）バッグ２００と関連して記述されたような、曲線状のシフト領域２２２Ａ、２２２Ｂ、２２４Ａ及び２２４Ｂ、（３）バッグ７００と関連して記述されたような、ビーズ状のシフト領域、並びに（４）バッグ８００と関連して記述されたような、シフト領域８３６Ａ、８３６Ｂ、８３８Ａ及び８３８Ｂ、の組み合わせを備えて形成されてもよい。
【００６０】
本発明によるバッグは、それが使用者によって保持されることなく垂直に立たされ得るために、高度に機能的である。それによって、バッグは、ある表面上に置かれ、使用者によって容易に満たされることができる。このスタンドアップ構成は、バッグの底部へのプリーツ、ガセット又はその他の追加的な構造の使用なしに達成される。上で述べたように、バッグは、使用中でないときは実質的にフラットに寝かされ、それによりコンパクトに保存されることができる。さらに、底部に追加的な構造を含まないことによって、バッグは、当分野で知られる他のスタンドアップ型バッグよりも実質的に少ない材料で作られることができる。当業者は、先の記述に基づいて本バッグの数々の他の利点を認識するであろう。
【００６１】
本発明は、ある具体的、例示的な実施形態の中で記述されてきたが、多くの追加的な修正及び変形が、本開示に照らして当業者にとって明らかであろう。したがって、本発明は、具体的に記述された以外の方法で実施され得ることが理解されるべきである。このように、本発明の例示的な実施形態は、全ての点で例示的であり限定的ではないものと考えられるべきであり、本発明の範囲は、先の記述によってではなく、本出願によりサポートされ得る任意の請求項及びその均等物によって決定されるべきである。
【００６２】
本発明の更なる態様を、以下に記載する。
［態様１］
保存バッグであって、
第一側壁であり、前記第一側壁の角付近から延びる少なくとも一つのシフト領域を含む、第一側壁、及び
当該バッグの３辺に沿って前記第一側壁に直接的に接続され、開口部を備えた当該バッグの内部を形成する第二側壁であり、前記第二側壁は、前記第二側壁の角付近から延びる少なくとも一つのシフト領域を含む、第二側壁、
を有し、
当該バッグは、前記第一側壁の前記少なくとも一つのシフト領域の周囲でシフト可能であり、前記第二側壁の前記少なくとも一つのシフト領域の周囲でシフト可能であり、当該バッグは、（ｉ）前記第一側壁及び前記第二側壁が互いに隣接して配置されたフラット構成と、（ｉｉ）前記第一側壁及び前記第二側壁が互いに離されたスタンドアップ構成との間をシフトされることができ、
前記スタンドアップ構成において、当該バッグのために実質的にフラットな基部が形成される、
保存バッグ。
［態様２］
前記シフト領域は、当該バッグの前記第一側壁及び第二側壁の部分における高さの変化及び厚さの変化のうちの一つである、態様１に記載の保存バッグ。
［態様３］
前記第一側壁は、（ｉ）前記第一側壁の第一角付近から延びるシフト領域、及び（ｉｉ）前記第一側壁の第二角から延びるシフト領域を含み、
前記第二側壁は、（ｉ）前記第二側壁の第一角付近から延びるシフト領域、及び（ｉｉ）前記第二側壁の第二角から延びるシフト領域を含む、
態様１に記載の保存バッグ。
［態様４］
保存バッグであって、
第一側壁であり、（ｉ）前記第一側壁の第一角から延びる第一シフト領域、（ｉｉ）前記第一側壁の第一角から延びる第二シフト領域、（ｉｉｉ）前記第一側壁の第二角から延びる第三シフト領域、及び（ｉｖ）前記第一側壁の第二角から延びる第四シフト領域、を含む、第一側壁、並びに
開口部を備えた当該バッグの内部を形成するように前記第一側壁に接続された第二側壁であり、前記第二側壁は、（ｉ）前記第二側壁の第一角付近から延びる第一シフト領域、（ｉｉ）前記第二側壁の第一角付近から延びる第二シフト領域、（ｉｉｉ）前記第二側壁の第二角付近から延びる第三シフト領域、及び（ｉｖ）前記第二側壁の第二角付近から延びる第四シフト領域、を含む、第二側壁、
を有し、
当該バッグは、（ｉ）前記第一側壁及び前記第二側壁が互いに隣接して配置されたフラット構成と、（ｉｉ）前記第一側壁及び前記第二側壁が互いに離されたスタンドアップ構成との間をシフトされることができ、
前記スタンドアップ構成において、当該バッグは、前記第一側壁の前記第一シフト領域、前記第二シフト領域、前記第三シフト領域及び前記第四シフト領域の周囲で、並びに、前記第二側壁の前記第一シフト領域、前記第二シフト領域、前記第三シフト領域及び前記第四シフト領域の周囲でシフトされ、当該バッグのために実質的にフラットな基部が形成される、
保存バッグ。
［態様５］
前記第一側壁は、当該バッグの第一端から当該バッグの第二端へ延びる水平シフト領域を含み、前記第一側壁の前記第一シフト領域及び前記第二シフト領域は、前記第一側壁の前記第一角から前記第一側壁の前記水平シフト領域に延びており、前記第一側壁上の前記第三シフト領域及び前記第四シフト領域は、前記第一側壁の前記第二角から前記第一側壁の前記水平シフト領域に延びており、
前記第二側壁は、当該バッグの第一端から当該バッグの第二端へ延びる水平シフト領域を含み、前記第二側壁の前記第一シフト領域及び前記第二シフト領域は、前記第二側壁の前記第一角から前記第二側壁の前記水平シフト領域に延びており、前記第二側壁の前記第三シフト領域及び前記第四シフト領域は、前記第二側壁の前記第二角から前記第二側壁の前記水平シフト領域に延びている、
態様４に記載の保存バッグ。
［態様６］
前記第一側壁の前記水平シフト領域は、当該バッグが前記フラット構成にあるときに当該バッグの底端より上に距離Ｈであり、前記第二側壁の前記水平シフト領域は、当該バッグが前記フラット構成にあるときに当該バッグの前記底端より上に距離Ｈであり、
前記基部は、前記スタンドアップ構成において、前記基部の中心部分で約２Ｈの幅を有する、
態様５に記載の保存バッグ。
［態様７］
前記距離Ｈは、約２インチである、態様６に記載の保存バッグ。
［態様８］
前記基部は、前記スタンドアップ構成において、前記第一側壁の前記第二シフト領域、前記第一側壁の前記水平シフト領域、前記第一側壁の前記第四シフト領域、前記第二側壁の前記第四シフト領域、前記第二側壁の前記水平シフト領域及び前記第二側壁の前記第二シフト領域によって輪郭を既定される、
態様５に記載の保存バッグ。
［態様９］
前記第一側壁の前記水平シフト領域と当該バッグの底端との間の前記第一側壁の少なくとも一部分は、前記第一側壁の前記水平シフト領域よりも上の前記第一側壁の一部分よりも厚く、
前記第二側壁の前記水平シフト領域と当該バッグの底端との間の前記第二側壁の少なくとも一部分は、前記第二側壁の前記水平シフト領域よりも上の前記第二側壁の一部分よりも厚い、
態様５に記載の保存バッグ。
［態様１０］
前記第一側壁及び前記第二側壁は、前記第一側壁及び前記第二側壁の隣接する部分よりも硬い複数の部分を含む、態様５に記載の保存バッグ。
［態様１１］
前記第一側壁及び前記第二側壁の前記第一シフト領域、前記第二シフト領域、前記第三シフト領域及び前記第四シフト領域は、直線及び曲線のうちの一つである、態様５に記載の保存バッグ。
［態様１２］
保存バッグであって、
第一側壁であり、（ｉ）前記第一側壁の第一角付近から延びるシフト領域、及び（ｉｉ）前記第一側壁の第二角付近から延びるシフト領域、を含む、第一側壁、並びに
当該バッグの３辺に沿って前記第一側壁に直接的に接続され、開口部を備えた当該バッグの内部を形成する第二側壁であり、前記第二側壁は、（ｉ）前記第二側壁の第一角付近から延びるシフト領域、及び（ｉｉ）前記第二側壁の第二角付近から延びるシフト領域、を含む、第二側壁、
を有し、
当該バッグは、前記第一側壁の前記シフト領域の周囲でシフトされ、前記第二側壁の前記シフト領域の周囲でシフトされ、当該バッグは、
（ｉ）前記第一側壁及び前記第二側壁が互いに隣接して配置されたフラット構成と、（ｉｉ）前記第一側壁及び前記第二側壁が互いに離されたスタンドアップ構成との間をシフトされることができ、
前記スタンドアップ構成において、当該バッグのために実質的にフラットな基部が形成される、
保存バッグ。
［態様１３］
当該バッグが前記スタンドアップ構成にあるときに、前記基部は、当該バッグの底に角から延びる三角形の領域を含む、態様１２に記載の保存バッグ。
［態様１４］
前記第一側壁は、当該バッグの第一端から当該バッグの第二端へ延びる水平シフト領域を含み、
前記第二側壁は、当該バッグの第一端から当該バッグの第二端へ延びる水平シフト領域を含む、
態様１２に記載の保存バッグ。
［態様１５］
前記第一側壁の前記水平シフト領域及び前記第二側壁の前記水平シフト領域は、前記スタンドアップ構成において、前記基部の端を規定する、態様１４に記載の保存バッグ。
［態様１６］
前記第一側壁の前記水平シフト領域は、当該バッグが前記フラット構成にあるときに当該バッグの底端より上に距離Ｈであり、前記第二側壁の前記水平シフト領域は、当該バッグが前記フラット構成にあるときに当該バッグの前記底端より上に距離Ｈであり、
前記基部は、前記スタンドアップ構成において、前記基部の中心部分で約２Ｈの幅を有する、
態様１４に記載の保存バッグ。
［態様１７］
前記距離Ｈは、約２インチである、態様１６に記載の保存バッグ。
［態様１８］
前記第一側壁の水平シフト領域と当該バッグの底端との間の前記第一側壁の少なくとも一部分は、前記第一側壁の前記水平シフト領域よりも上の前記第一側壁の一部分よりも厚く、
前記第二側壁の水平シフト領域と当該バッグの底端との間の前記第二側壁の少なくとも一部分は、前記第二側壁の前記水平シフト領域よりも上の前記第二側壁の一部分よりも厚い、
態様１２に記載の保存バッグ。
［態様１９］
前記第一側壁及び前記第二側壁は、前記第一側壁及び前記第二側壁の隣接する部分よりも硬い複数の部分を含む、態様１２に記載の保存バッグ。
［態様２０］
前記第一側壁及び前記第二側壁の前記シフト領域は、直線及び曲線のうちの一つである、態様１２に記載の保存バッグ。
［態様２１］
保存バッグであって、
第一側壁、及び
開口部を備えた当該バッグの内部を形成するように前記第一側壁に接続された第二側壁、を有し、
前記第一側壁及び前記第二側壁は、（ｉ）当該バッグの第一角付近から延びる第一シフト領域、（ｉｉ）当該バッグの第一角から延びる第二シフト領域、（ｉｉｉ）当該バッグの第二角付近から延びる第三シフト領域、及び（ｉｖ）当該バッグの第二角から延びる第四シフト領域、をそれぞれ含み、
αが、前記第一側壁及び前記第二側壁の前記第一シフト領域及び前記第三シフト領域と、前記バッグの隣接する端との間の角度であるとき、且つ、βが、前記第一側壁及び前記第二側壁の前記第二シフト領域及び前記第四シフト領域と、前記バッグの底端との間の角度であるとき、角度α及び角度βは、方程式（１）（数３）によって概して規定される、
保存バッグ。
【数３】
2020146562.tif 000005
［態様２２］
特定の角度αが与えられると、角度βは、前記方程式（１）から計算される角度βのための値から約±２度未満だけ異なり、
特定の角度βが与えられると、角度αは、前記方程式（１）から計算される角度αのための値から約±４度未満だけ異なる、
態様２１に記載の保存バッグ。
［態様２３］
角度αは約１４度から約１６度であり、角度βは約３７度から約３９度である、態様２１に記載の保存バッグ。
［態様２４］
前記第一シフト領域、前記第二シフト領域、前記第三シフト領域及び前記第四シフト領域は、（ｉ）直線であり、前記角度α及び角度βは、当該バッグの端と前記直線との間で測定される、直線、及び（ｉｉ）曲線であり、前記角度α及び角度βは、当該バッグの端と、前記曲線の中央部分において前記曲線のそれぞれの上の点に接する線との間で測定される、曲線、のうちの一つである、態様２１に記載の保存バッグ。
［態様２５］
保存バッグであって、
第一側壁であり、前記第一側壁の角付近から延びる複数のシフト領域を含み、前記複数のシフト領域の少なくとも一つは、前記複数のシフト領域の他のものと交差する、第一側壁、及び
当該バッグの３辺に沿って前記第一側壁に直接的に接続され、開口部を備えた当該バッグの内部を形成する第二側壁であり、前記第二側壁は、前記第二側壁の角付近から延びる複数のシフト領域を含み、前記複数のシフト領域の少なくとも一つは、前記複数のシフト領域の他のものと交差する、第二側壁、
を有し、
当該バッグは、前記第一側壁の前記複数のシフト領域の周囲でシフト可能であり、前記第二側壁の前記複数のシフト領域の周囲でシフト可能であり、当該バッグは、（ｉ）前記第一側壁及び前記第二側壁が互いに隣接して配置されたフラット構成と、（ｉｉ）前記第一側壁及び前記第二側壁が互いに離されたスタンドアップ構成との間をシフトされることができ、
前記スタンドアップ構成において、当該バッグのために実質的にフラットな基部が形成される、
保存バッグ。
［態様２６］
前記第一側壁の前記複数のシフト領域は少なくとも三つのシフト領域を含み、シフト領域のうちの一つは、二つの他のシフト領域に交差する、態様２５に記載の保存バッグ。
［態様２７］
前記第二側壁の前記複数のシフト領域は少なくとも三つのシフト領域を含み、シフト領域のうちの一つは、二つの他のシフト領域に交差する、態様２６に記載の保存バッグ。
［態様２８］
前記第一側壁の前記複数のシフト領域は少なくとも三つのシフト領域を含み、シフト領域のうちの一つは、三つの他のシフト領域に交差し、
前記第二側壁の前記複数のシフト領域は少なくとも三つのシフト領域を含み、シフト領域のうちの一つは、三つの他のシフト領域に交差する、
態様２５に記載の保存バッグ。
［態様２９］
前記第一側壁の前記複数のシフト領域は少なくとも四つのシフト領域を含み、シフト領域のうちの二つは、二つの他のシフト領域に交差し、
前記第二側壁の前記複数のシフト領域は少なくとも四つのシフト領域を含み、シフト領域のうちの二つは、二つの他のシフト領域に交差する、
態様２５に記載の保存バッグ。
［態様３０］
前記シフト領域は、当該バッグの前記第一側壁及び第二側壁の部分における高さの変化及び厚さの変化のうちの一つである、態様２５に記載の保存バッグ。
［態様３１］
保存バッグであって、
第一側壁であり、前記第一側壁の第一辺付近から前記第一側壁の第二辺付近へ延びるシフト領域を含み、前記シフト領域はビーズ形状を有する、第一側壁、及び
当該バッグの３辺に沿って前記第一側壁に直接的に接続され、開口部を備えた当該バッグの内部を形成する第二側壁であり、前記第二側壁は、前記第二側壁の第一辺付近から前記第二側壁の第二辺付近へ延びるシフト領域を含み、前記シフト領域はビーズ形状を有する、第二側壁、
を有し、
当該バッグは、前記第一側壁及び前記第二側壁の前記シフト領域の周囲でシフト可能であり、当該バッグは、（ｉ）前記第一側壁及び前記第二側壁が互いに隣接して配置されたフラット構成と、（ｉｉ）前記第一側壁及び前記第二側壁が互いに離されたスタンドアップ構成との間をシフトされることができ、
前記スタンドアップ構成において、当該バッグのために実質的にフラットな基部が形成される、
保存バッグ。
［態様３２］
前記第一側壁の前記シフト領域及び前記第二側壁の前記シフト領域は、当該バッグが前記フラット構成にあるときに互いに直接的に隣接して配置されないように、ずらされている、態様３１に記載の保存バッグ。
［態様３３］
前記第一側壁の前記シフト領域は、前記第一側壁の残りよりも約２倍から約２０倍厚く、
前記第二側壁の前記シフト領域は、前記第二側壁の残りよりも２倍から約２０倍厚い、
態様３１に記載の保存バッグ。
［態様３４］
前記第一側壁の前記シフト領域及び前記第二側壁の前記シフト領域は、当該バッグが前記スタンドアップ構成にあるときに当該バッグの前記基部の端を形成する、態様３１に記載の保存バッグ。
［態様３５］
保存バッグであって、
第一側壁、
前記第一側壁の第一辺から前記第一側壁の第二辺へ延びる第一クロージャ構造、
当該バッグの３辺に沿って前記第一側壁に直接的に接続され、開口部を備えた当該バッグの内部を形成する、第二側壁、
前記第二側壁の第一辺から前記第二側壁の第二辺へ延びる第二クロージャ構造であり、前記第二クロージャ構造は前記第一クロージャ構造と組み合うことにより当該バッグの前記開口部を封止するように構成されている、第二クロージャ構造、
当該バッグの前記第一側壁と同じ側に形成された第一リップであり、前記リップは、前記第一クロージャ構造の上に延び、前記開口部に隣接して設けられている、第一リップ、及び
当該バッグの前記第二側壁と同じ側に形成された第二リップであり、前記リップは、前記第一クロージャ構造の上に延び、前記開口部に隣接して設けられている、第二リップ、
を有し、
前記第一リップ及び前記第二リップは、前記第一側壁及び前記第二側壁よりも硬く、当該バッグは、（ｉ）前記第一側壁及び前記第二側壁が互いに隣接して配置されたフラット構成と、（ｉｉ）前記第一側壁及び前記第二側壁が互いに離されたスタンドアップ構成との間をシフト可能であり、
前記スタンドアップ構成において、当該バッグのために実質的にフラットな基部が形成される、
保存バッグ。
［態様３６］
前記第一リップ及び前記第一リップは、前記第一側壁及び前記第二側壁よりも厚い、態様３５に記載の保存バッグ。
［態様３７］
前記第一リップ及び前記第一リップは、前記第一側壁及び前記第二側壁を形成するために使用されるものとは異なる材料から少なくとも部分的に形成される、態様３５に記載の保存バッグ。
［態様３８］
前記第一クロージャ構造及び前記第二クロージャ構造は、前記第一側壁及び前記第二側壁よりも硬い、態様３５に記載の保存バッグ。
［態様３９］
保存バッグであって、
複数のシフト領域を含む第一側壁であり、前記複数のシフト領域の少なくとも一つは前記第一側壁の下部に設けられ、前記複数のシフト領域の少なくとも一つは前記第一側壁の上部に設けられている、第一側壁、及び
当該バッグの３辺に沿って前記第一側壁に直接的に接続され、開口部を備えた当該バッグの内部を形成する第二側壁であり、前記第二側壁は複数のシフト領域を含み、前記複数のシフト領域の少なくとも一つは前記第二側壁の下部に設けられ、前記複数のシフト領域の少なくとも一つは前記第二側壁の上部に設けられている、第二側壁、
を有し、
当該バッグは、前記第一側壁の前記複数のシフト領域の周囲でシフト可能であり、前記第二側壁の前記複数のシフト領域の周囲でシフト可能であり、当該バッグは、（ｉ）前記第一側壁及び前記第二側壁が互いに隣接して配置されたフラット構成と、（ｉｉ）前記第一側壁及び前記第二側壁が互いに離され、当該バッグの前記開口部が開かれたスタンドアップ構成との間をシフトされることができ、
前記スタンドアップ構成において、当該バッグのために実質的にフラットな基部が形成される、
保存バッグ。
［態様４０］
前記第一側壁の第一辺から前記第一側壁の第二辺へ延びる第一クロージャ構造であり、前記第一側壁の前記シフト領域の一つは、当該バッグの側端に沿って測定されたときに、前記第一クロージャ構造の約１インチ下方に設けられている、第一クロージャ構造、及び
前記第二側壁の第一辺から前記第二側壁の第二辺へ延びる第二クロージャ構造であり、前記第二クロージャ構造は、前記第一クロージャ構造と結合することにより当該バッグの前記開口部を封止するように構成されており、前記第二側壁の前記シフト領域の一つは、当該バッグの側端に沿って測定されたときに、前記第二クロージャ構造の約１インチ下方に設けられている、第二クロージャ構造、
を更に有する、態様３９に記載の保存バッグ。
［態様４１］
前記第一側壁の上部に設けられた二つのシフト領域、及び前記第二側壁の上部に設けられた二つのシフト領域、を更に有する、態様３９に記載の保存バッグ。
［態様４２］
前記第一側壁の第一辺から前記第一側壁の第二辺へ延びる第一クロージャ構造であり、前記第一側壁の前記シフト領域の一つは、当該バッグの側端に沿って測定されたときに、前記第一クロージャ構造の約１インチ下方に設けられており、前記第一側壁の前記シフト領域の一つは、当該バッグの側端に沿って測定されたときに、前記第一クロージャ構造の約１と２分の１インチ下方に設けられている、第一クロージャ構造、及び
前記第二側壁の第一辺から前記第二側壁の第二辺へ延びる第二クロージャ構造であり、前記第二クロージャ構造は、前記第一クロージャ構造と結合することにより当該バッグの前記開口部を封止するように構成されており、前記第二側壁の前記シフト領域の一つは、当該バッグの側端に沿って測定されたときに、前記第二クロージャ構造の約１インチ下方に設けられており、前記第二側壁の前記シフト領域の一つは、当該バッグの側端に沿って測定されたときに、前記第二クロージャ構造の約１と２分の１インチ下方に設けられている、第二クロージャ構造、
を更に有する、態様４１に記載の保存バッグ。
【産業上の利用可能性】
【００６３】
本明細書において記述される発明は、保存バッグの商業生産において使用されることができる。そのような保存バッグは、食品、化学物質又は他の物質を保存するための利用等の多種多様な用途を有する。
【図１Ａ】
2020146562.tif 000006
【図１Ｂ】
2020146562.tif 000007
【図２】
2020146562.tif 000008
【図３】
2020146562.tif 000009
【図４】
2020146562.tif 000010
【図５】
2020146562.tif 000011
【図６Ａ】
2020146562.tif 000012
【図６Ｂ】
2020146562.tif 000013
【図６Ｃ】
2020146562.tif 000014
【図６Ｄ】
2020146562.tif 000015
【図６Ｅ】
2020146562.tif 000016
【図６Ｆ】
2020146562.tif 000017
【図６Ｇ】
2020146562.tif 000018
【図７】
2020146562.tif 000019
【図８】
2020146562.tif 000020
【外国語明細書】
2020146562000001.pdf